(57)【要約】【課題】  絶縁被覆電線の被覆剥離長さを容易に設定でき、手動あるいは電動ドリルによる剥離作業を簡単に切り替えられる電線被覆剥離工具を提供する。【解決手段】  電線被覆剥離工具１において、剥ぎ取り部２と嵌合するソケット１０に電動工具あるいは手動回転用グリップ取付用の接続軸８を備え、接続軸８の端面が剥離長さを決定するストッパー７として機能し、剥ぎ取り部２に形成された複数の位置合せ穴１３のうちの一つにソケット１０に取付けられたネジ１２を嵌合することにより接続軸８と剥ぎ取り部２を結合させることにより電線被覆を設定長に剥離する。【選択図】図１
2013220002.tif 000002
【特許請求の範囲】
【請求項１】
工具本体に装備された切削刃を絶縁被覆電線の周囲に回転させることにより、電線の絶縁被覆をらせん状に剥離する電線被覆剥離工具において、剥離部の長さを決定するストッパーが工具本体に固定された回転軸の端面を構成しており、工具本体に設置された嵌合部を軸方向に移動することにより剥離部長さを段階的に調整でき、回転軸に電動ドライバ工具および手動回転用グリップが装着できることを特徴とする電線被覆剥離工具。
【請求項２】
前記剥離部長さの調整機構が、押えネジと穴構造により段階的に調整できることを特徴とする、請求項１に記載の絶縁被覆剥離工具。
【発明の詳細な説明】
【技術分野】
【０００１】  本発明は、架空配電線の結線作業などにおいて、絶縁被覆電線の絶縁被覆を剥ぎ取り、導体を露出させる電線被覆剥離工具に関するもので、詳しくは、絶縁被覆の剥離長を簡単に調節でき、剥離作業に電動ドライバ工具を使用するか手動で行うかの選択を可能とする電線被覆剥離工具に関するものである。
【背景技術】
【０００２】  一般に、電柱に配置された架空配電線には絶縁被覆電線が使用されており、その結線作業においては、絶縁被覆を剥ぎ取り金属導体を露出させる必要がある。この絶縁被覆を剥ぎ取るための電線被覆剥離工具として、たとえば、特許文献１に開示されたものが公知である。特許文献１が開示する電線被覆剥離工具は、筒状をなす工具本体に絶縁被覆電線の一端を挿入する案内穴が回転軸方向に形成されるとともに本体側面には開口部が形成されて開口部に切削刃が取り付けられた構造をしている。【０００３】  電線被覆剥離工具の案内穴に電線を差し込んで、電線を軸として工具本体を回転させることにより、弾性のある樹脂で形成された絶縁被覆に切削刃の刃先が食い込んで、絶縁被覆はらせん状に剥ぎ取られ、その剥離屑が開口部から排出される。この時、剥ぎ取られる絶縁被覆の長さは切削刃と本体に固定されたストッパーの距離によって決められた長さに固定されていた。【０００４】  絶縁被覆の剥ぎ取り長さを変更するため、例えば特許文献２、３が開示するような手法が用いられている。特許文献２が開示する剥離長さの可変構造は、被覆剥離装置を回転させる回転軸の端面をストッパーとして使用し、回転軸の長さを変更することにより剥離長さを調整するものである。【０００５】  特許文献３が開示する剥離長さ可変構造は、ストッパーを本体の案内穴と嵌合するように設置し、軸方向にスライドできるようにしている。ストッパーを工具本体にネジ構造で締付け固定することにより、剥離長さを任意に設定できるようにするものである。
【先行技術文献】
【特許文献】
【０００６】
【特許文献１】特開２０１２−１６２５７号公報
【特許文献２】特開２０００−３５８３０８号公報
【特許文献３】特開平１０−１４０４６号公報
【発明概要】
【発明が解決しようとする課題】
【０００７】  ところが、特許文献２のように回転軸の長さを変更して、ピン構造により固定する方法では、必要とする剥離長さの種類に応じた数だけ異なった長さの回転軸が必要となることにより、作業性が悪くなる。さらには工具の重量が重くなってしまう。
【０００８】  また、特許文献３のようにストッパーを連続的に稼働させる方式では、剥離長さ調整の自由度は増すが、実作業においてはあらかじめ決められた２、３種類の長さしか必要としないことから、数値を合わせるための作業性の悪化や数値の合わせ間違いが発生してしまう。この時、ストッパーをネジの締付け力で固定しているために電線から絶縁被覆を剥ぎ取る工程の途中で、ネジがゆるんで剥離長さが所望の値からずれてしまうことがある。
【０００９】  特許文献１〜３が開示する方法は電線被覆剥離工具本体を回転させることにより絶縁被覆を剥離しているが、回転力を電動ドリルや歯車機構などの機械的な力によって与えることを前提とした構造としている。しかし、実作業においては手作業でしか実施できない場合も多い。そこで手動による剥離作業と機械力による剥離作業の両方に対応できる剥離工具が必要である。
【００１０】  本発明は、絶縁被覆電線の被覆剥離長さを容易に設定でき、手動あるいは電動ドリルによる剥離作業を簡単に切り替えることのできる機構を備えた電線被覆剥離工具を提供することを目的としている。
【課題を解決するための手段】
【００１１】  上記課題に鑑み、本発明が提供する電線被覆剥離工具は、本体に固定した電動ドライバ用の接続軸の端面をストッパーとして剥離長さを決定し、この接続軸に手動剥離用のグリップを取り付ける構造として、剥離長さが段階的に容易に設定でき、手動剥離と機械剥離の切り替えを簡単にしたものである。
【図面の簡単な説明】
【００１２】
【図１】本発明の実施形態における電線被覆剥離工具の構成を示す図である。
【図２】ソケットにグリップを取り付けたときの図である。
【発明を実施するための形態】
【００１３】  以下、本発明にかかわる電線被覆剥離工具を実施するための形態について。図面を用いて説明する。図１は、本発明の実施形態における剥離長さ調整構造を備える電線被覆剥離工具１を示す図である。図１に示す電線被覆剥離工具１は、図示しない絶縁被覆電線から絶縁被覆の一部分を剥ぎ取る工具である。
【００１４】  電線被覆剥離工具１は回転しやすい構造をしており、具体的には円柱状である。被覆を剥離する剥ぎ取り部２とそれに嵌合し剥離長さを調整するソケット１０から構成されている。剥ぎ取り部２とソケット１０は、ネジ１２と位置合せ穴１３で接合される。剥ぎ取り部２の端面には絶縁被覆電線を挿入する案内穴３があり、ソケット１０端面には電動工具接続用の接続軸８が埋め込まれている。接続軸８の断面は六角形の形状をしており、電動ドリルを取り付けて動力で回転させる。ソケット１０の回転は、ネジ１２、位置合せ穴１３を介して剥ぎ取り部２に伝達される。
【００１５】  絶縁被覆を剥ぎ取る機構は、鉛筆削りに類似している。剥ぎ取り部２の側面には開口部５があり、開口部５の傾斜面に切削刃４が取り付けられている。絶縁被覆電線を案内穴３に挿入し、剥ぎ取り部２を回転させることで絶縁被覆電線先端部の被覆が切削刃４で切削される。この時、切削刃４は絶縁被覆電線の被覆部分のみを切削する位置に取り付けられており、導体に傷が入らないようにしている。
【００１６】  剥ぎ取り部２をさらに回転させると、絶縁被覆を剥離された電線の導体部は、導体案内穴６を通過し接続軸８の端面部（ストッパー７）に接触し、電線の前進が停止する。これにより絶縁被覆の剥離長さが切削刃４とストッパー７の距離で決定される。ここで、ストッパー７は、図のように金属製の接続軸８そのものでもよいし、セラミックスのように電線の導体（銅、アルミニウム等）よりも硬質の材料を接続軸８の端面に別途取り付けてもよい。
【００１７】  切削刃４とストッパー７の距離は、ソケット１０に取り付けられたネジ１２と剥ぎ取り部２の嵌合部に設置された位置合せ穴１３の位置によって決定される。すなわち、ネジ１２のネジ先端部１１が位置合せ穴１３に入り込むように締め付けることでソケット１０が剥ぎ取り部２に固定される。図では、位置合せ穴１３をａ、ｂ、ｃの３ヶ所形成し、ネジ１２のネジ先端部１１が位置合せ穴１３ｃに挿入された状態を示している。剥ぎ取り部２の嵌合部外周には、ガイド線１４が形成されている。すなわち、ソケット１０の端面をガイド線１４に合わせることで、ネジ１２と位置合せ穴１３の嵌合が容易かつ確実にできるようにしている。
【００１８】  ところで、絶縁被覆電線の絶縁被覆の剥離長さは、使用する電線を取り付けようとする電気設備により一義的に決められており、位置合せ穴１３は必要とされる剥離長さに対応した位置に所定の間隔を置いて設置されている。
【００１９】  図２に示すように、手動で剥離作業を実施するために接続軸８にグリップ２１を取り付けることができる構造となっている。接続軸８の側面にはノッチ９が形成されており、グリップ２１を接続軸８に挿入した時にグリップ２１に形成されたボール２２がノッチ９と嵌合する。これにより接続軸８からグリップ２１が容易に外れない構造としている。グリップ２１は、作業者が握りやすく、回転時に滑らないように凹凸を持ったエラストマーで構成されている。
【００２０】  以上のように、本発明に係る電線被覆剥離工具について、上記実施の形態を用いて説明したが、本発明はこれに限定されるものではない。
【産業上の利用可能性】
【００２１】  本発明に係る電線被覆剥離工具は、絶縁被覆電線の絶縁被覆を短時間にかつ正確な剥離長さをもって剥ぎ取ることが可能である。これにより安全性の向上、確実性の向上、作業性の向上が実現できることから電線被覆剥離工具として有用である。
【符号の説明】
【００２２】  １  電線被覆剥離工具
２  剥ぎ取り部
３  案内穴
４  切削刃
５  開口部
６  導体案内穴
７  ストッパー
８  接続軸
９  ノッチ
１０  ソケット
１１  ネジ先端部
１２  ネジ
１３  位置合せ穴
１４  ガイド線
２１  グリップ
２２  ボール
【図１】
2013220002.tif 000003
【図２】
2013220002.tif 000004